(57)【要約】  本発明は拡張パラメータ集に基づくセキュリティ情報インタラクションシステム、装置及びその方法に関するものである。そのうち、上記の拡張パラメータ集に基づくセキュリティ情報インタラクションシステムはセキュリティ情報インタラクション装置とセキュリティ情報インタラクション端末を含み、上記のセキュリティ情報インタラクション装置がメインパラメータ集と拡張パラメータ集の中の一つに基づき、通信インタフェースを通じて、上記のセキュリティ情報インタラクション端末とセキュリティ情報のインタラクションを行い、リソースの移行に関する作業を行う。本発明で開示された拡張パラメータ集に基づくセキュリティ情報インタラクションシステム、装置及びその方法は、異なる属性を持つ多種類のリソースの移行業務を実現でき、コストが低く、ニーズに従い柔軟に設定し、拡張することができる。
2015500537.tif 000002
【特許請求の範囲】
【請求項１】
拡張パラメータ集に基づくセキュリティ情報インタラクションシステムであって、
セキュリティ情報インタラクション端末との物理的な接続を立てた後、上記のセキュリティ情報インタラクション端末とセキュリティ情報のインタラクションを行うことを通じて、リソースの移行に関する作業を行うために用いられるセキュリティ情報インタラクション装置と、
上記のセキュリティ情報インタラクション装置と上記のセキュリティ情報インタラクションを行い、上記のセキュリティ情報インタラクション装置から取得されたメインパラメータ集と少なくとも１つの拡張パラメータ集の一つの中のデータ元を通じて、上記のリソースの移行を完成させることに用いられるセキュリティ情報インタラクション端末とを含む、ことを特徴とする拡張パラメータ集に基づくセキュリティ情報インタラクションシステム。
【請求項２】
前記セキュリティ情報インタラクション装置が、
上記のセキュリティ情報インタラクション端末と物理的な接続をたてるための通信インタフェースと、
上記のメインパラメータ集を保存するためのメインパラメータ集保存モジュールと、
上記の少なくとも１つの拡張パラメータ集を保存するための拡張パラメータ集保存モジュールと、
上記のメインパラメータ集と上記の拡張パラメータ集の中の一つに基づき、上記の通信インタフェースを通じて、上記のセキュリティ情報インタラクション端末と上記のセキュリティ情報インタラクションを行い、それによって上記のリソースの移行に関する作業を行うためのメインコントローラとをさらに含むことを特徴とする請求項1に記載の拡張パラメータ集に基づくセキュリティ情報インタラクションシステム。
【請求項３】
受け取った配置コマンドに基づき、上記のメインパラメータ集及び/又は上記の少なくとも１つの拡張パラメータ集を更新する配置モジュールを更に含むことを特徴とする請求項2に記載の拡張パラメータ集に基づくセキュリティ情報インタラクションシステム。
【請求項４】
上記のメインコントローラは、さらに、上記の通信インタフェースで上記のセキュリティ情報インタラクション端末との物理的な接続をたてた後、上記の通信インタフェースを通じて、上記のセキュリティ情報インタラクション端末へ端末データ元のリクエストコマンドを発送することにも用いられることを特徴とする請求項3に記載の拡張パラメータ集に基づくセキュリティ情報インタラクションシステム。
【請求項５】
上記のメインコントローラは、さらに、上記の通信インタフェースを通じて、上記のセキュリティ情報インタラクション端末からの端末データ元のリクエストレスポンスを受け取った後、上記のリソースの移行と関わる少なくとも１つの端末データ元を取得するように上記の端末データ元のリクエストレスポンスを解析することにも用いられ、そのうち、上記の少なくとも１つの端末データ元は、上記のリソースの属性と関わるデータ元を含むことを特徴とする請求項4に記載の拡張パラメータ集に基づくセキュリティ情報インタラクションシステム。
【請求項６】
上記のメインコントローラは、さらに、上記リソースの属性と関わるデータ元を上記のメインパラメータ集保存モジュールから読み取られた上記のメインパラメータ集における対応するデータ元とマッチングし、またマッチできる場合、上記のメインパラメータ集をカレント作業パラメータ集とすることにも用いられることを特徴とする請求項5に記載の拡張パラメータ集に基づくセキュリティ情報インタラクションシステム。
【請求項７】
上記のメインコントローラは、さらに、上記のリソースの属性と関わるデータ元と上記のメインパラメータ集保存モジュールから読み取られた上記のメインパラメータ集における対応するデータ元とがマッチングできない場合、上記のリソースの属性と関わるデータ元を上記の拡張パラメータ集保存モジュールから読み取られた上記の少なくとも１つの拡張パラメータ集のそれぞれにおける対応するデータ元と順次にマッチングし、またマッチできる拡張パラメータ集が存在する場合、上記のマッチできる拡張パラメータ集をカレント作業パラメータ集とすることにも用いられることを特徴とする請求項6に記載の拡張パラメータ集に基づくセキュリティ情報インタラクションシステム。
【請求項８】
上記メインコントローラは、さらに、上記のリソースの属性と関わるデータ元とマッチングできるパラメータ集が存在しない場合、上記の通信インタフェースを通じて、上記のセキュリティ情報インタラクション端末へパラメータのマッチが失敗したというコマンドを発送することにも用いられることを特徴とする請求項7に記載の拡張パラメータ集に基づくセキュリティ情報インタラクションシステム。
【請求項９】
上記メインコントローラは、さらに、上記のカレント作業パラメータ集が確定された後、それからのセキュリティ情報インタラクションにおいて、上記のセキュリティ情報インタラクション端末からのコマンドに基づき、上記のセキュリティ情報インタラクション端末へカレント作業パラメータ集におけるデータ元を提供することにも用いられることを特徴とする請求項8に記載の拡張パラメータ集に基づくセキュリティ情報インタラクションシステム。
【請求項１０】
上記のセキュリティ情報インタラクション装置が利用許可される前に、上記のメインパラメータ集と上記の拡張パラメータ集が上記のセキュリティ情報インタラクション装置の管理者より初期化されることを特徴とする請求項9に記載の拡張パラメータ集に基づくセキュリティ情報インタラクションシステム。
【請求項１１】
上記の物理的な接続が非接触型の物理的な接続及び/又は接触型の物理的な接続であることを特徴とする請求項10に記載の拡張パラメータ集に基づくセキュリティ情報インタラクションシステム。
【請求項１２】
上記のリソースが資金であり、上記のリソースの属性と関わるデータ元が取引貨幣コードであることを特徴とする請求項11に記載の拡張パラメータ集に基づくセキュリティ情報インタラクションシステム。
【請求項１３】
上記のセキュリティ情報インタラクション装置が金融ICカードであることを特徴とする請求項12に記載の拡張パラメータ集に基づくセキュリティ情報インタラクションシステム。
【請求項１４】
上記のセキュリティ情報インタラクション端末がPOS装置であることを特徴とする請求項13に記載の拡張パラメータ集に基づくセキュリティ情報インタラクションシステム。
【請求項１５】
上記のセキュリティ情報インタラクション端末は、さらに、上記のセキュリティ情報インタラクション装置からの上記の端末データ元のリクエストコマンドを受け取った後、上記のセキュリティ情報インタラクション装置へ上記の端末データ元のリクエストレスポンスを発送することに用いられることを特徴とする請求項14に記載の拡張パラメータ集に基づくセキュリティ情報インタラクションシステム。
【請求項１６】
上記のセキュリティ情報インタラクション端末は、さらに、上記のセキュリティ情報インタラクション装置が上記のカレント作業パラメータ集を確定した後、上記のセキュリティ情報インタラクション装置へコマンドを発送することを通じて、上記のカレント作業パラメータ集からデータ元を取得し、上記のリソースの移行を完成させることに用いられることを特徴とする請求項15に記載の拡張パラメータ集に基づくセキュリティ情報インタラクションシステム。
【請求項１７】
上記のセキュリティ情報インタラクション装置からパラメータのマッチが失敗したというコマンドを受け取った後、上記のセキュリティ情報インタラクション端末がセキュリティ情報インタラクションを終了させることを特徴とする請求項16に記載の拡張パラメータ集に基づくセキュリティ情報インタラクションシステム。
【請求項１８】
上記のセキュリティ情報インタラクション端末が上記のセキュリティ情報インタラクション装置へ検索コマンドを発送するという方式で、上記のメインパラメータ集及び/又は上記の少なくとも１つの拡張パラメータ集における上記のリソースの属性と関わるデータ元を取得できることを特徴とする請求項17に記載の拡張パラメータ集に基づくセキュリティ情報インタラクションシステム。
【請求項１９】
セキュリティ情報インタラクション装置であって、
対応するセキュリティ情報インタラクション端末との物理的な接続をたてるための通信インタフェースと、
上記のメインパラメータ集を保存するためのメインパラメータ集保存モジュールと、
少なくとも１つの拡張パラメータ集を保存するための拡張パラメータ集保存モジュールと、
上記のメインパラメータ集と上記の拡張パラメータ集の中の一つに基づき、上記の通信インタフェースを通じて、上記のセキュリティ情報インタラクション端末とセキュリティ情報インタラクションを行い、それによって上記のリソースの移行に関する作業を行うためのメインコントローラとを含むことを特徴とするセキュリティ情報インタラクション装置。
【請求項２０】
受け取った配置コマンドに基づき上記のメインパラメータ集及び/又は上記の少なくとも１つの拡張パラメータ集を更新するための配置モジュールをさらに含むことを特徴とする請求項19に記載のセキュリティ情報インタラクション装置。
【請求項２１】
上記のメインコントローラは、さらに、上記の通信インタフェースで上記のセキュリティ情報インタラクション端末との物理的な接続をたてた後、上記の通信インタフェースを通じて、上記のセキュリティ情報インタラクション端末へ端末データ元のリクエストコマンドを発送することにも用いられることを特徴とする請求項20に記載のセキュリティ情報インタラクション装置。
【請求項２２】
上記メインコントローラは、さらに、上記の通信インタフェースを通じて、上記のセキュリティ情報インタラクション端末からの端末データ元のリクエストレスポンスを受け取った後、上記のリソースの移行と関わる少なくとも１つの端末データ元を取得するように上記の端末データ元のリクエストレスポンスを解析することにも用いられ、そのうち、上記の少なくとも１つの端末データ元は、上記のリソースの属性と関わるデータ元を含むことを特徴とする請求項21に記載のセキュリティ情報インタラクション装置。
【請求項２３】
上記メインコントローラは、さらに、リソースの属性と関わるデータ元を上記のメインパラメータ集保存モジュールから読み取られた上記のメインパラメータ集における対応するデータ元とマッチングし、またマッチできる場合、上記のメインパラメータ集をカレント作業パラメータ集とすることにも用いられることを特徴とする請求項22に記載のセキュリティ情報インタラクション装置。
【請求項２４】
上記メインコントローラは、さらにリソースの属性と関わるデータ元と上記のメインパラメータ集保存モジュールから読み取られた上記のメインパラメータ集における対応するデータ元とがマッチングできない場合、上記のリソースの属性と関わるデータ元を上記の拡張パラメータ集保存モジュールから読み取られた上記の少なくとも１つの拡張パラメータ集のそれぞれにおける対応するデータ元と順次にマッチングし、またマッチできる拡張パラメータ集が存在する場合、上記のマッチできる拡張パラメータ集をカレント作業パラメータ集とすることにも用いられることを特徴とする請求項23に記載のセキュリティ情報インタラクション装置。
【請求項２５】
上記メインコントローラは、さらに、上記のリソースの属性と関わるデータ元とマッチングできるパラメータ集が存在しない場合、上記の通信インタフェースを通じて、上記のセキュリティ情報インタラクション端末へパラメータのマッチが失敗したというコマンドを発送することにも用いられることを特徴とする請求項24に記載のセキュリティ情報インタラクション装置。
【請求項２６】
上記メインコントローラは、さらに、カレント作業パラメータ集が確定された後、それからのセキュリティ情報インタラクションにおいて、上記のセキュリティ情報インタラクション端末からのコマンドに基づき、上記のセキュリティ情報インタラクション端末へカレント作業パラメータ集におけるデータ元を提供することにも用いられることを特徴とする請求項25に記載のセキュリティ情報インタラクション装置。
【請求項２７】
上記のメインパラメータ集と上記の拡張パラメータ集が上記のセキュリティ情報インタラクション装置の管理者より初期化されることを特徴とする請求項26に記載のセキュリティ情報インタラクション装置。
【請求項２８】
上記の物理的な接続が非接触型の物理的な接続又は接触型の物理的な接続であることを特徴とする請求項27に記載のセキュリティ情報インタラクション装置。
【請求項２９】
上記のリソースが資金であり、上記のリソースの属性と関わるデータ元が取引貨幣コードであることを特徴とする請求項28に記載のセキュリティ情報インタラクション装置。
【請求項３０】
上記のセキュリティ情報インタラクション装置が金融ICカードであることを特徴とする請求項29に記載のセキュリティ情報インタラクション装置。
【請求項３１】
拡張パラメータ集に基づくセキュリティ情報インタラクション方法であって、
（A1）セキュリティ情報インタラクション装置とセキュリティ情報インタラクション端末の間で物理的な通信チャネルをたてるステップと、
（A2）上記のセキュリティ情報インタラクション装置が上記の物理的な通信チャネルにおいて、上記のセキュリティ情報インタラクション装置に保存されるメインパラメータ集と少なくとも１つの拡張パラメータ集の中の一つにおけるデータ元に基づき、上記のセキュリティ情報インタラクション端末とセキュリティ情報インタラクションを行い、それによって、リソースの移行に関する作業を完成させるステップとを含む拡張パラメータ集に基づくセキュリティ情報インタラクション方法。
【請求項３２】
上記のメインパラメータ集又は上記の少なくとも一つの拡張パラメータ集は、受け取った配置コマンドに基づき、更新されることができることを特徴とする請求項31に記載の拡張パラメータ集に基づくセキュリティ情報インタラクション方法。
【請求項３３】
上記のセキュリティ情報インタラクション装置が利用許可される前に、上記のメインパラメータ集と上記の拡張パラメータ集が上記のセキュリティ情報インタラクション装置の管理者より初期化されることを特徴とする請求項32に記載の拡張パラメータ集に基づくセキュリティ情報インタラクション方法。
【請求項３４】
上記のセキュリティ情報インタラクション端末が上記のセキュリティ情報インタラクション装置へ検索コマンドを発送するという方式で、上記のメインパラメータ集および/又は上記の少なくとも１つの拡張パラメータ集における上記のリソースの属性と関わるデータ元を取得できることを特徴とする請求項33に記載の拡張パラメータ集に基づくセキュリティ情報インタラクション方法。
【発明の詳細な説明】
【技術分野】
【０００１】
本発明はセキュリティ情報インタラクションシステム（interaction system）、装置及びその方法に関するものであり、さらに言えば、拡張パラメータ集に基づくセキュリティ情報インタラクションシステム、装置及びその方法に関するものである。
【背景技術】
【０００２】
現在、ネット技術の進捗と異なる分野における業務種類の増加に従い、セキュリティ情報インタラクション端末を通じて、セキュリティ情報（即ち、安全性の要求が高い情報）のインタラクションを行うことで、リソースの移行（ここでのリソースがデータ情報、資金、モノなどを含む）を実現させることがますます重要になった。
【０００３】
既存のセキュリティ情報インタラクションシステム及びその方法においては、セキュリティ情報インタラクション装置（例えば、金融ICカード）は一般的に単一のパラメータ集保存モジュールだけを使用し、それにパラメータ集保存モジュール（例えば、金融分野においては、それは特定の取引貨幣コードと関わるデータ元であり、かつ特定の属性を持つリソース（例えば、ある種類の貨幣の資金）と関わるものである）に保存される単一のパラメータ集に基づき、セキュリティ情報のインタラクションを完成させる。
【０００４】
ただし、上記の既存方法には以下の問題がある。単一のパラメータ集保存モジュールしか持っていないため、特定のパラメータ集と関わるリソースの移行業務だけ行われる。従って、利用分野が単一であるため、異なる属性を持つ多種類のリソースの移行を実現できないので、互換性が低くなく、セキュリティ情報インタラクションの効率を低下させる結果になった。
【０００５】
そのほか、現有の改良案においては、セキュリティ情報インタラクション装置とセキュリティ情報インタラクション端末には、ともに、異なる属性を持つ多種類リソースの移行業務と関わる複数のアプリケーションがインストール、かつ携帯されているため、異なる属性を持つ多種類リソースの移行業務を行うことができる。ただし、当該改良案には以下のような問題がある。即ち、普通のセキュリティ情報インタラクション装置とセキュリティ情報インタラクション端末を改善しなければならないため、コストを上げ、業務種類の増加に従い機動的に設定できなくかつ、拡張できないという問題がある。
【０００６】
従って、異なる属性を持つ多種類のリソースの移行業務を行われ、コストが低く、しかも機動的に設定でき、拡張できるセキュリティ情報インタラクションシステム、装置及びその方法を提供するというようなニーズがある。
【発明の概要】
【発明が解決しようとする課題】
【０００７】
上記の既存技術案に存在した問題点を解決するために、本発明は拡張パラメータ集に基づくセキュリティ情報インタラクションシステム、装置及びその方法を提供するものである。
【課題を解決するための手段】
【０００８】
本発明の目的は以下のような技術案によって実現される。
拡張パラメータ集に基づくセキュリティ情報インタラクションシステムであって、
セキュリティ情報インタラクション端末との物理的な接続をたてた後、上記のセキュリティ情報インタラクション端末とセキュリティ情報のインタラクションを行うことを通じて、リソースの移行に関する作業を行うために用いられるセキュリティ情報インタラクション装置と、
上記のセキュリティ情報インタラクション装置とセキュリティ情報のインタラクションを行い、上記のセキュリティ情報インタラクション装置から取得されたメインパラメータ集と少なくとも拡張パラメータ集の中の一つにおけるデータ元を通じて、上記のリソースの移行を完了させることに用いられるセキュリティ情報インタラクション端末とを含む拡張パラメータ集に基づくセキュリティ情報インタラクションシステム。
【０００９】
上記の技術案においては、好ましくは、上記のセキュリティ情報インタラクション装置は、
上記のセキュリティ情報インタラクション端末との物理的な接続をたてるための通信インタフェースと、
上記のメインパラメータ集を保存するためのメインパラメータ集保存モジュールと、
上記の少なくとも１つの拡張パラメータ集を保存するための拡張パラメータ集保存モジュールと、
上記のメインパラメータ集と上記の拡張パラメータ集の中の一つに基づき、上記の通信インタフェースを通じて、上記のセキュリティ情報インタラクション端末と上記のセキュリティ情報インタラクションを行い、それによって上記のリソースの移行に関する作業を行うためのメインコントローラとをさらに含む。
【００１０】
上記の技術案においては、上記のセキュリティ情報インタラクション装置が配置モジュールが受け取った配置コマンドに基づき、上記のメインパラメータ集及び/又は上記の少なくとも１つの拡張パラメータ集を更新する配置モジュールをさらに含むのが好ましい。
【００１１】
上記の技術案においては、上記のメインコントローラは、さらに、上記の通信インタフェースでセキュリティ情報インタラクション端末との物理的な接続をたてた後、上記の通信インタフェースを通じて、上記のセキュリティ情報インタラクション端末へ端末データ元のリクエストコマンドを発送することにも用いられるのが好ましい。
【００１２】
上記の技術案においては、上記のメインコントローラは、さらに、上記の通信インタフェースを通じて、上記のセキュリティ情報インタラクション端末からの端末データ元のリクエストレスポンスを受け取った後、上記のリソースの移行と関わる少なくとも１つの端末データ元を取得するように上記の端末データ元のリクエストレスポンスを解析することにも用いられ、そのうち、少なくとも１つの端末データ元は上記のリソースの属性と関わるデータ元を含むのが好ましい。
【００１３】
上記の技術案においては、上記のメインコントローラは、さらに、リソースの属性と関わるデータ元を上記のメインパラメータ集保存モジュールから読み取られた上記のメインパラメータ集における対応するデータ元とマッチングし、また、マッチできる場合、上記のメインパラメータ集をカレント作業パラメータ集とすることにも用いられるのが好ましい。
【００１４】
上記の技術案においては、上記のメインコントローラは、さらにリソースの属性と関わるデータ元と上記のメインパラメータ集保存モジュールから読み取られた上記のメインパラメータ集における対応するデータ元とマッチングできない場合、上記のリソースの属性と関わるデータ元を上記の拡張パラメータ集保存モジュールから読み取られた上記の少なくとも１つの拡張パラメータ集の中のそれぞれにおける対応するデータ元と順次にマッチングし、またマッチできる拡張パラメータ集が存在する場合、上記のマッチできる拡張パラメータ集をカレント作業パラメータ集とすることにも用いられるのが好ましい。
【００１５】
上記の技術案においては、上記のメインコントローラは、さらに、上記のリソースの属性と関わるデータ元とマッチングできるパラメータ集が存在しない場合、上記の通信インタフェースを通じて、上記のセキュリティ情報インタラクション端末へパラメータのマッチが失敗したというコマンドを発送することにも用いられるのが好ましい。
【００１６】
上記の技術案においては、上記メインコントローラは、さらに、上記のカレント作業パラメータ集が確定された後、それからのセキュリティ情報インタラクションにおいて、上記のセキュリティ情報インタラクション端末からのコマンドに基づき、上記のセキュリティ情報インタラクション端末へカレント作業パラメータ集におけるデータ元を提供することにも用いられるのが好ましい。
【００１７】
上記の技術案においては、上記のセキュリティ情報インタラクション装置が利用許可される前に、上記のメインパラメータ集と上記の拡張パラメータ集が上記のセキュリティ情報インタラクション装置の管理者より初期化されるのが好ましい。
【００１８】
上記の技術案においては、上記の物理的な接続が非接触型の物理的な接続及び/又は接触型の物理的な接続であるのが好ましい。
【００１９】
上記の技術案においては、上記のリソースが資金であり、上記のリソースの属性と関わるデータ元が取引貨幣コードであるのが好ましい。
【００２０】
上記の技術案においては、上記のセキュリティ情報インタラクション装置が金融ICカードであるのが好ましい。
【００２１】
上記の技術案においては、上記のセキュリティ情報インタラクション端末がPOS装置であるのが好ましい。
【００２２】
上記の技術案においては、上記のセキュリティ情報インタラクション端末は、さらに、上記のセキュリティ情報インタラクション装置からの端末データ元のリクエストコマンドを受け取った後、上記のセキュリティ情報インタラクション装置へ上記の端末データ元のリクエストレスポンスを発送することにも用いられるのが好ましい。
【００２３】
上記の技術案においては、上記のセキュリティ情報インタラクション端末は、さらに、上記のセキュリティ情報インタラクション装置が上記のカレント作業パラメータ集を確定した後、上記のセキュリティ情報インタラクション装置へコマンドを発送することを通じて、上記のカレント作業パラメータ集からデータ元を取得し、上記のリソースの移行を完成させることにも用いられるのが好ましい。
【００２４】
上記の技術案においては、上記のセキュリティ情報インタラクション装置からパラメータのマッチが失敗したというコマンドを受け取った後、上記のセキュリティ情報インタラクション端末がセキュリティ情報のインタラクションを終了させるのが好ましい。
【００２５】
上記の技術案においては、上記のセキュリティ情報インタラクション端末が上記のセキュリティ情報インタラクション装置へ検索コマンドを発送するという方式で、上記のメインパラメータ集及び/又は上記の少なくとも１つの拡張パラメータ集における上記のリソースの属性と関わるデータ元を取得できるのが好ましい。
【００２６】
本発明はまた以下のような技術案によって実現される。
セキュリティ情報インタラクション装置であって、
対応する上記のセキュリティ情報インタラクション端末との物理的な接続をたてるための通信インタフェースと、
上記のメインパラメータ集を保存するためのメインメータ集保存モジュールと、
少なくとも１つの拡張パラメータ集を保存するための拡張パラメータ集保存モジュールと、
上記のメインパラメータ集と上記の拡張パラメータ集の中の一方に基づき、上記の通信インタフェースを通じて、上記のセキュリティ情報インタラクション端末とセキュリティ情報インタラクションを行い、それによって上記のリソースの移行に関する作業を行うためのメインコントローラとを含むセキュリティ情報インタラクション装置。
【００２７】
上記の技術案においては、上記のセキュリティ情報インタラクション装置は、受け取った配置コマンドに基づき、上記のメインパラメータ集及び/又は上記の少なくとも１つの拡張パラメータ集の中の一方を更新する配置モジュールを更に含むのが好ましい。
【００２８】
上記の技術案においては、上記のメインコントローラは、さらに、上記の通信インタフェースがセキュリティ情報インタラクション端末との物理的な接続をたてた後、上記の通信インタフェースを通じて、上記のセキュリティ情報インタラクション端末へ端末データ元のリクエストコマンドを発送することにも用いられるのが好ましい。
【００２９】
上記の技術案においては、上記のメインコントローラは、さらに、上記の通信インタフェースを通じて、上記のセキュリティ情報インタラクション端末からの端末データ元のリクエストレスポンスを受け取った後、上記のリソースの移行と関わる少なくとも１つの端末データ元を取得するように上記の端末データ元のリクエストレスポンスを解析することにも用いられ、そのうち、上記の少なくとも１つの端末データ元が上記のリソースの属性と関わるデータ元を含むのが好ましい。
【００３０】
上記の技術案においては、上記のメインコントローラは、さらに、リソースの属性と関わるデータ元を上記のメインパラメータ集保存モジュールから読み取られた上記のメインパラメータ集における対応するデータ元とマッチングし、またマッチできる場合、上記のメインパラメータ集をカレント作業パラメータ集とすることにも用いられるのが好ましい。
【００３１】
上記の技術案においては、上記のメインコントローラは、さらに、リソースの属性と関わるデータ元と上記のメインパラメータ集保存モジュールから読み取られた上記のメインパラメータ集における対応するデータ元とがマッチングできない場合、上記のリソースの属性と関わるデータ元を上記の拡張パラメータ集保存モジュールから読み取られた上記の少なくとも１つの拡張パラメータ集のそれぞれにおける対応するデータ元と順次にマッチングし、マッチできる拡張パラメータ集が存在する場合、上記のマッチできる拡張パラメータ集をカレント作業パラメータ集とすることにも用いられるのが好ましい。
【００３２】
上記の技術案においては、上記メインコントローラは、さらに上記のリソースの属性と関わるデータ元とマッチングできるパラメータ集が存在しない場合、上記の通信インタフェースを通じて、上記のセキュリティ情報インタラクション端末へパラメータのマッチが失敗したというコマンドを発送することにも用いられるのが好ましい。
【００３３】
上記の技術案においては、上記メインコントローラは、さらに、上記のカレント作業パラメータ集が確定されたた後、それからのセキュリティ情報インタラクションにおいて、上記のセキュリティ情報インタラクション端末からのコマンドに基づき、上記のセキュリティ情報インタラクション端末へカレント作業パラメータ集におけるデータ元を提供することにも用いられるのが好ましい。
【００３４】
上記の技術案においては、上記のメインパラメータ集と上記の拡張パラメータ集が上記のセキュリティ情報インタラクション装置の管理者より初期化されるのが好ましい。
【００３５】
上記の技術案においては、上記の物理的な接続が非接触型の物理的な接続又は接触型の物理的な接続であるのが好ましい。
【００３６】
上記の技術案においては、上記のリソースが資金であり、上記のリソースの属性と関わるデータ元が取引貨幣コードであるのが好ましい。
【００３７】
上記の技術案においては、上記のセキュリティ情報インタラクション装置が金融ICカードであるのが好ましい。
【００３８】
本発明はさらに以下のような技術案によって実現される。
拡張パラメータ集に基づくセキュリティ情報インタラクション方法であって、
（A1）セキュリティ情報インタラクション装置とセキュリティ情報インタラクション端末の間で物理的な通信チャネルをたてるステップと、
（A2）上記のセキュリティ情報インタラクション装置が上記の物理的な通信チャネルにおいて、上記のセキュリティ情報インタラクション装置に保存されるメインパラメータ集と少なくとも１つの拡張パラメータ集の中の一方のデータ元に基づき、上記のセキュリティ情報インタラクション端末とセキュリティ情報インタラクションを行い、それによってリソースの移行に関する作業を完成させるステップとを含む拡張パラメータ集に基づくセキュリティ情報インタラクション方法である。
【００３９】
上記の技術案においては、上記のメインパラメータ集及び/又は上記の少なくとも一つの拡張パラメータ集は、受け取った配置コマンドに基づき、更新されることができるのが好ましい。
【００４０】
上記の技術案においては、上記のセキュリティ情報インタラクション装置が利用許可される前に、上記のメインパラメータ集と上記の拡張パラメータ集が上記のセキュリティ情報インタラクション装置の管理者より初期化されるのが好ましい。
【００４１】
上記の技術案においては、上記のセキュリティ情報インタラクション端末が上記のセキュリティ情報インタラクション装置へ検索コマンドを発送するという方式で、上記のメインパラメータ集及び/又は上記の少なくとも１つの拡張パラメータ集における上記のリソースの属性と関わるデータ元を取得できるのが好ましい。
【発明の効果】
【００４２】
本発明で開示された拡張パラメータ集に基づくセキュリティ情報インタラクションシステム、装置及びその方法は以下のようなメリットを持っている。即ち、異なる属性を持つ多種類のリソースの移行業務を実現でき、コストが低く、ニーズに従い機動的に設定でき、かつ拡張できるということ。そのため、互換性が高くなり、セキュリティ情報インタラクションの効率を上げられるということである。 
【００４３】
当業者に本発明の技術特徴とメリットをよく理解させるために、図をつけた。
【図面の簡単な説明】
【００４４】
【図１】図１は本発明の実施例に基づく拡張パラメータ集のセキュリティ情報インタラクションシステムの構造図である。
【図２】図2は本発明の実施例に基づく拡張パラメータ集のセキュリティ情報インタラクション方法のフロー図である。
【発明を実施するための形態】
【００４５】
図1は本発明の実施例に基づく拡張パラメータ集のセキュリティ情報インタラクションシステムの構造図である。図1で示すように、本発明で開示された拡張パラメータ集に基づくセキュリティ情報インタラクションシステムは、セキュリティ情報インタラクション装置1とセキュリティ情報インタラクション端末2とを含む。そのうち、上記のセキュリティ情報インタラクション装置1が上記のセキュリティ情報インタラクション端末2と物理的な接続をたてた後、上記のセキュリティ情報インタラクション端末2とセキュリティ情報インタラクションを行うことを通じて、リソースの移行に関する作業を行うことに利用される。上記のセキュリティ情報インタラクション端末2が上記のセキュリティ情報インタラクション装置1と上記のセキュリティ情報インタラクションを行い、また、上記のセキュリティ情報インタラクション装置1から取得されたメインパラメータ集と少なくとも１つの拡張パラメータ集の中の一方のデータ元（即ち、パラメータ）に基づき、上記のリソースの移行を完成させることに利用される。
【００４６】
図1で示すように、本発明で開示された拡張パラメータ集に基づくセキュリティ情報インタラクションシステムにおいては、上記のセキュリティ情報インタラクション装置1が通信インタフェース3、メインコントローラ4、メインパラメータ集保存モジュール5及び少なくとも１つの拡張パラメータ集保存モジュール6をさらに含む。そのうち、上記の通信インタフェース3が上記のセキュリティ情報インタラクション端末2との物理的な接続（即ち、物理的な通信チャネル）をたてる（作る）ことに用いられる。上記のメインパラメータ集保存モジュール5が上記のメインパラメータ集を保存するためのものである。上記の拡張パラメータ集保存モジュール6が上記の少なくとも１つの拡張パラメータ集を保存するためのものである。上記のメインコントローラ4が上記のメインパラメータ集と上記の拡張パラメータ集における一つに基づき、上記の通信インタフェース3を通じて、上記のセキュリティ情報インタラクション端末2と上記のセキュリティ情報インタラクションを行い、それによって、上記のリソースの移行と関する操作を行うことに用いられる。
【００４７】
好ましくは、本発明で開示された拡張パラメータ集に基づくセキュリティ情報インタラクションシステムにおいては、上記のセキュリティ情報インタラクション装置1がさらに配置モジュール7を含む。上記の配置モジュール7が受け取った配置コマンドに基づき、上記のメインパラメータ集及び/又は上記の少なくとも１つの拡張パラメータ集の少なくとも一方を更新することに用いられる。
【００４８】
好ましくは、本発明で開示された拡張パラメータ集に基づくセキュリティ情報インタラクションシステムにおいては、上記のメインコントローラ4は、上記の通信インタフェース3で上記のセキュリティ情報インタラクション端末2との物理的な接続をたてた後、上記の通信インタフェース3を通じて、上記のセキュリティ情報インタラクション端末2へ端末データ元のリクエストコマンドを発送することにも利用される。
【００４９】
好ましくは、本発明で開示された拡張パラメータ集に基づくセキュリティ情報インタラクションシステムにおいては、上記のメインコントローラ4は、さらに、上記の通信インタフェース3を通じて、上記のセキュリティ情報インタラクション端末2からの端末データ元のリクエストレスポンスを受け取った後、上記のリソース移行に関する少なくとも１つの端末データ元（例としては、金融ICカード分野において、上記の少なくとも１つの端末データ元が電子マネーインジケーター、授権金額と取引貨幣コードを含む）を取得するために、上記の端末データ元のリクエストレスポンスを解析することにも用いられる。そのうち、上記の少なくとも１つの端末データ元が上記のリソースの属性と関わるデータ元（例としては、金融ICカード分野において、上記のリソースの属性と関わるデータ元が取引貨幣コードである）を含む。
【００５０】
好ましくは、本発明で開示された拡張パラメータ集に基づくセキュリティ情報インタラクションシステムにおいては、上記のメインコントローラ4は、さらにリソースの属性と関わるデータ元を上記のメインパラメータ集保存モジュール5から読み取られた上記のメインパラメータ集における対応するデータ元（例えば、第一取引貨幣コード）とマッチングし、またマッチできる場合、上記のメインパラメータ集をカレント作業パラメータ集とすることにも用いられる。
【００５１】
好ましくは、本発明で開示された拡張パラメータ集に基づくセキュリティ情報インタラクションシステムにおいては、上記のメインコントローラ4は、さらに、リソースの属性と関わるデータ元と上記のメインパラメータ集保存モジュール5から読み取られた上記のメインパラメータ集における対応するデータ元とがマッチングできない場合、上記のリソースの属性と関わるデータ元と上記の拡張パラメータ集保存モジュール5から読み取られた上記の少なくとも１つの拡張パラメータ集における対応するデータ元（例えば、第二取引貨幣コード、その後も同様とする）と順次にマッチングし、またマッチできる拡張パラメータ集が存在する場合、それをカレント作業パラメータ集とすることにも用いられる。
【００５２】
好ましくは、本発明で開示された拡張パラメータ集に基づくセキュリティ情報インタラクションシステムにおいては、上記メインコントローラ4は、さらに上記のリソースの属性と関わるデータ元とマッチングできるパラメータ集（メインパラメータ集と拡張パラメータ集を含む）が存在しない場合、上記の通信インタフェース3を通じて、上記のセキュリティ情報インタラクション端末2へマッチが失敗したというコマンドを送ることにも用いられる。
【００５３】
好ましくは、本発明で開示された拡張パラメータ集に基づくセキュリティ情報インタラクションシステムにおいては、上記メインコントローラ4は、さらにカレント作業パラメータ集を確定した後、それからのセキュリティ情報インタラクションにおいて、上記のセキュリティ情報インタラクション端末2からのコマンドに基づき、上記のセキュリティ情報インタラクション端末2へカレント作業パラメータ集でのデータ元（即ち、パラメータ、例えば、電子マネー残高等）を提供することにも用いられる。
【００５４】
好ましくは、本発明で開示された拡張パラメータ集に基づくセキュリティ情報インタラクションシステムにおいては、上記のセキュリティ情報インタラクション装置1が利用許可される前に、上記のメインパラメータ集と上記の拡張パラメータ集が上記のセキュリティ情報インタラクション装置1の管理者（例えば、金融ICカード発行者）より初期化される。
【００５５】
好ましくは、本発明で開示された拡張パラメータ集に基づくセキュリティ情報インタラクションシステムにおいては、上記の物理接続が非接触型的な物理接続および/又は接触型的な物理接続である。
【００５６】
例としては、本発明で開示された拡張パラメータ集に基づくセキュリティ情報インタラクションシステムにおいては、上記のリソースが資金であり、かつ上記のリソースの属性と関わるデータ元が取引貨幣コードである。
【００５７】
例としては、本発明で開示された拡張パラメータ集に基づくセキュリティ情報インタラクションシステムにおいては、上記のセキュリティ情報インタラクション装置1が金融ICカードである。
【００５８】
例としては、本発明で開示された拡張パラメータ集に基づくセキュリティ情報インタラクションシステムにおいては、上記のセキュリティ情報インタラクション端末2がPOS装置である。
【００５９】
好ましくは、本発明で開示された拡張パラメータ集に基づくセキュリティ情報インタラクションシステムにおいては、上記のセキュリティ情報インタラクション端末2はさらに上記のセキュリティ情報インタラクション装置1からの上記の端末データ元のリクエストコマンドを受け取った後、上記のセキュリティ情報インタラクション装置1へ上記の端末データ元のリクエストレスポンスを送ることにも用いられる。
【００６０】
好ましくは、本発明で開示された拡張パラメータ集に基づくセキュリティ情報インタラクションシステムにおいては、上記のセキュリティ情報インタラクション端末2はさらに上記のセキュリティ情報インタラクション装置1が上記のカレント作業パラメータ集を確定した後、上記のセキュリティ情報インタラクション装置1へコマンドを送ることを通じて、上記のカレント作業パラメータ集からデータ元（即ち、パラメータ）を取得し、上記のリソースの移行を完成させることにも用いられる。
【００６１】
好ましくは、本発明で開示された拡張パラメータ集に基づくセキュリティ情報インタラクションシステムにおいては、上記のセキュリティ情報インタラクション装置1からの上記のパラメータのマッチが失敗したというコマンドを受け取った後、上記のセキュリティ情報インタラクション端末2がセキュリティ情報インタラクションを終了する。
【００６２】
好ましくは、本発明で開示された拡張パラメータ集に基づくセキュリティ情報インタラクションシステムにおいては、上記のセキュリティ情報インタラクション端末2が上記のセキュリティ情報インタラクション装置1へ検索コマンドを送るという方式で、上記のメインパラメータ集及び/又は上記の少なくとも１つの拡張パラメータ集における上記のリソースの属性と関わるデータ元（例えば、電子マネー残高）を取得する。
【００６３】
例としては、前文で述べたように、既存の技術案においては、セキュリティ情報インタラクション装置とセキュリティ情報インタラクション端末には、共に異なる属性を持つ多種類リソースの移行業務と関わる複数のアプリケーションがインストールかつ携帯されているため、異なる属性を持つ多種類リソースの移行業務が行われる。例えば、金融分野においては、AID（アプリケーション識別子）で異なるアプリケーションを唯一的に識別する。そのため、セキュリティ情報インタラクション端末（例えば、POS装置）とセキュリティ情報インタラクション装置（例えばICカード）が普通異なるAIDによって代表されるアプリケーション（例えば、異なる貨幣コードによって異なるパラメータ集を選択するために、異なる国のセキュリティ情報インタラクション端末が異なるAIDをローディングしなければならない）をローディングしなければならない。それによって、セキュリティ情報インタラクション装置がセキュリティ情報インタラクション端末のAIDに基づき、異なるパラメータ集（即ち、異なるAIDがそれぞれ異なるパラメータ集と対応する）を選択することができる。しかし、AIDリソースが限られるため（例えば、貨幣ごとに対応するAIDを配置するのは不可能である。）、上記の既存の技術案は業務種類の増加に従って、柔軟に設定し、拡張することができない。一方、本発明で開示された拡張パラメータ集に基づくセキュリティ情報インタラクションシステムにおいては、同じAID識別のアプリケーションがメインパラメータ集及び/又は少なくとも１つの拡張パラメータ集（例えば、同じAID識別のアプリケーションが異なる貨幣コードによって異なるパラメータ集を選択する）を利用することができるため、業務種類の増加に従って、柔軟に設定し、拡張することができる。
【００６４】
図1で示すように、本発明はもう一つセキュリティ情報インタラクション装置を開示した。そのうち、上記のセキュリティ情報インタラクション装置が通信インタフェース、メインコントローラ、メインパラメータ集保存モジュール及び少なくとも１つの拡張パラメータ集保存モジュールを含む。その中で、上記の通信インタフェースがそれと対応するセキュリティ情報インタラクション端末との物理的な接続（即ち、物理的な通信チャネル）をたてるためのものである。上記のメインパラメータ集保存モジュールがメインパラメータ集を保存するためのものである。上記の拡張パラメータ集保存モジュールが少なくとも１つの拡張パラメータ集を保存するためのものである。上記メインコントローラが上記のメインパラメータ集と上記の拡張パラメータの中の一つに基づき、上記の通信インタフェースを通じて、上記の対応セキュリティ情報インタラクション端末とセキュリティ情報インタラクションを行い、それによってリソースの移行に関する作業を行うためのものである。
【００６５】
好ましくは、本発明で開示されたセキュリティ情報インタラクション装置がさらに配置モジュールを含む。上記の配置モジュールが受け取った配置コマンドに基づき、上記のメインパラメータ集及び/又は上記の少なくとも１つの拡張パラメータ集を更新するためのものである。
【００６６】
好ましくは、本発明で開示されたセキュリティ情報インタラクション装置においては、上記のメインコントローラは、上記の通信インタフェースと上記のセキュリティ情報インタラクション端末と物理的な接続をたてた後、上記の通信インタフェースを通じて、上記のセキュリティ情報インタラクション端末へ端末データ元のリクエストコマンドを送ることにも利用される。
【００６７】
好ましくは、本発明で開示されたセキュリティ情報インタラクション装置においては、上記のメインコントローラがまた上記の通信インタフェースを通じて、上記のセキュリティ情報インタラクション端末からの端末データ元のリクエストレスポンスを受け取った後、上記のリソース移行に関する少なくとも１つの端末データ元（例としては、金融ICカード分野において、上記の少なくとも１つの端末データ元が電子マネーインジケーター、授権金額と取引貨幣コードを含む）を取得するために、上記の端末データ元のリクエストレスポンスを解析することにも用いられる。そのうち、上記の少なくとも１つの端末データ元が上記のリソースの属性と関わるデータ元（例としては、金融ICカード分野において、上記のリソースの属性と関わるデータ元が取引貨幣コードである）を含む。
【００６８】
好ましくは、本発明で開示されたセキュリティ情報インタラクション装置においては、上記のメインコントローラは、さらに上記のリソースの属性と関わるデータ元を上記のメインパラメータ集保存モジュールから読み取られた上記のメインパラメータ集における対応するデータ元（例えば、第一取引貨幣コード）とマッチングし、またマッチ出来る場合、上記のメインパラメータ集をカレント作業パラメータ集とすることにも用いられる。
【００６９】
好ましくは、本発明で開示されたセキュリティ情報インタラクション装置においては、上記のメインコントローラはさらに上記のリソースの属性と関わるデータ元と上記のメインパラメータ集保存モジュールから読み取られた上記のメインパラメータ集における対応するデータ元とがマッチングでいない場合、上記のリソースの属性と関わるデータ元と上記の拡張パラメータ集保存モジュールから読み取られた上記の少なくとも１つの拡張パラメータ集のそれぞれにおける対応するデータ元（例えば、第二取引貨幣コード、その後も同様とする）と順次にマッチングし、またマッチできる拡張パラメータ集が存在する場合、マッチできる拡張パラメータ集をカレント作業パラメータ集とすることにも用いられる。
【００７０】
好ましくは、本発明で開示されたセキュリティ情報インタラクション装置においては、上記のメインコントローラは、さらに、上記のリソースの属性と関わるデータ元とマッチングできるパラメータ集（メインパラメータ集と拡張パラメータ集を含む）が存在しない場合、上記の通信インタフェースを通じて、上記のセキュリティ情報インタラクション端末へマッチが失敗したというコマンドを送ることにも用いられる。
【００７１】
好ましくは、本発明で開示されたセキュリティ情報インタラクション装置においては、上記のメインコントローラはさらに、カレント作業パラメータ集が確定された後、それからのセキュリティ情報インタラクションにおいて、上記のセキュリティ情報インタラクション端末からのコマンドに基づき、上記のセキュリティ情報インタラクション端末へカレント作業パラメータ集でのデータ元（即ち、パラメータ、例えば、電子マネー残高等）を提供することにも用いられる。
【００７２】
好ましくは、上記のセキュリティ情報インタラクション装置が利用許可される前に、上記のメインパラメータ集と上記の拡張パラメータ集が上記のセキュリティ情報インタラクション装置1の管理者（例えば、金融ICカード発行者）より初期化される。
【００７３】
好ましくは、上記の物理接続が非接触型的な物理接続及び/又は接触型的な物理接続である。
【００７４】
例としては、本発明で開示されたセキュリティ情報インタラクション装置においては、上記のリソースが資金であり、かつ上記のリソースの属性と関わるデータ元が取引貨幣コードである。
【００７５】
例としては、本発明で開示されたセキュリティ情報インタラクション装置が金融ICカードである。
【００７６】
図2は本発明の実施例に基づく拡張パラメータ集のセキュリティ情報インタラクション方法のフロー図である。図2で示すように、本発明で開示された拡張パラメータ集に基づくセキュリティ情報インタラクション方法は以下のようなステップを含む。即ち、（A1）セキュリティ情報インタラクション装置とセキュリティ情報インタラクション端末との間で物理的な通信チャネルをたてるステップと、（A2）上記のセキュリティ情報インタラクション装置が上記の物理的な通信チャネルにおいて、上記のセキュリティ情報インタラクション装置に保存されるメインパラメータ集と少なくとも１つの拡張パラメータ集における一つの中のデータ元に基づき、上記のセキュリティ情報インタラクション端末とセキュリティ情報インタラクションを行い、リソースの移行に関する作業を完成させるステップとを含む。
【００７７】
好ましくは、本発明で開示された拡張パラメータ集に基づくセキュリティ情報インタラクション方法においては、受け取った配置コマンドに基づき、上記のメインパラメータ集及び/又は上記の少なくとも１つの拡張パラメータ集が更新される。
【００７８】
好ましくは、本発明で開示された拡張パラメータ集に基づくセキュリティ情報インタラクション方法においては、上記のステップ(A2）がさらに以下のようなものを含む。即ち、上記のセキュリティ情報インタラクション装置が上記のセキュリティ情報インタラクション端末へ端末データ元のリクエストコマンドを発送する。
【００７９】
好ましくは、本発明で開示された拡張パラメータ集に基づくセキュリティ情報インタラクション方法においては、上記のステップ(A2）がさらに以下のようなものを含む。即ち、上記のセキュリティ情報インタラクション装置が上記のセキュリティ情報インタラクション端末からの端末データ元のリクエストレスポンスを受け取った後、上記のリソース移行に関する少なくとも１つの端末データ元（例としては、金融ICカード分野において、上記の少なくとも１つの端末データ元が電子マネーインジケーターと、授権金額と、取引貨幣コードとを含む）を取得するために、上記の端末データ元のリクエストレスポンスを解析する。そのうち、上記の少なくとも１つの端末データ元が上記のリソースの属性と関わるデータ元（例としては、金融ICカード分野において、上記のリソースの属性と関わるデータ元が取引貨幣コードである）を含む。
【００８０】
好ましくは、本発明で開示された拡張パラメータ集に基づくセキュリティ情報インタラクション方法においては、上記のステップ(A2）がさらに以下のようなものを含む。即ち、上記のセキュリティ情報インタラクション装置が上記のリソースの属性と関わるデータ元を上記のメインパラメータ集における対応するデータ元（例えば、第一取引貨幣コード）とマッチングし、またマッチできる場合、上記のメインパラメータ集をカレント作業パラメータ集とする。
【００８１】
好ましくは、本発明で開示された拡張パラメータ集に基づくセキュリティ情報インタラクション方法においては、上記のステップ(A2）がさらに以下のようなものを含む。即ち、上記のリソースの属性と関わるデータ元と上記のメインパラメータ集における対応するデータ元とがマッチングできない場合、上記のリソースの属性と関わるデータ元を上記の拡張パラメータ集のそれぞれにおける対応するデータ元（例えば、第二取引貨幣コード、その後も同様とする）と順次にマッチングし、またマッチできる拡張パラメータ集が存在する場合、マッチできる拡張パラメータ集をカレント作業パラメータ集とする。
【００８２】
好ましくは、本発明で開示された拡張パラメータ集に基づくセキュリティ情報インタラクション方法においては、上記のステップ(A2）がさらに以下のようなものを含む。即ち、上記のリソースの属性と関わるデータ元とマッチングできるパラメータ集（メインパラメータ集と拡張パラメータ集を含む）が存在しない場合、上記のセキュリティ情報インタラクション装置が上記のセキュリティ情報インタラクション端末へパラメータのマッチが失敗したというコマンドを送る。
【００８３】
好ましくは、本発明で開示された拡張パラメータ集に基づくセキュリティ情報インタラクション方法においては、上記のステップ(A2）がさらに以下のようなものを含む。即ち、上記のセキュリティ情報インタラクション装置が上記のカレント作業パラメータ集を確定した後、それからのセキュリティ情報インタラクションにおいて、上記のセキュリティ情報インタラクション端末からのコマンドに基づき、上記のセキュリティ情報インタラクション端末へ上記のカレント作業パラメータ集におけるデータ元（即ち、パラメータ，例えば、電子マネー残高等）を提供する。
【００８４】
好ましくは、本発明で開示された拡張パラメータ集に基づくセキュリティ情報インタラクション方法においては、上記のセキュリティ情報インタラクション装置が利用許可される前に、上記のメインパラメータ集と上記の拡張パラメータ集が上記のセキュリティ情報インタラクション装置の管理者（例えば、金融ICカード発行者）より初期化される。
【００８５】
好ましくは、本発明で開示された拡張パラメータ集に基づくセキュリティ情報インタラクション方法においては、上記の物理的な通信チャネルが非接触型の通信チャネル及び/又は接触型の通信チャネルである。
【００８６】
例としては、本発明で開示された拡張パラメータ集に基づくセキュリティ情報インタラクション方法においては、上記のリソースが資金であり、かつ上記のリソースの属性と関わるデータ元が取引貨幣コードである。
【００８７】
例としては、本発明で開示された拡張パラメータ集に基づくセキュリティ情報インタラクション方法においては、上記のセキュリティ情報インタラクション装置が金融ICカードである。
【００８８】
例としては、本発明で開示された拡張パラメータ集に基づくセキュリティ情報インタラクション方法においては、上記のセキュリティ情報インタラクション端末がPOS装置である。
【００８９】
好ましくは、本発明で開示された拡張パラメータ集に基づくセキュリティ情報インタラクション方法においては、上記のステップ(A2）がさらに以下のようなものを含む。即ち、上記のセキュリティ情報インタラクション端末が上記のセキュリティ情報インタラクション装置からの上記の端末データ元のリクエストコマンドを受け取った後、上記のセキュリティ情報インタラクション装置へ上記の端末データ元のリクエストレスポンスを送る。
【００９０】
好ましくは、本発明で開示された拡張パラメータ集に基づくセキュリティ情報インタラクション方法においては、上記のステップ(A2）がさらに以下のようなものを含む。即ち、上記のセキュリティ情報インタラクション端末は、上記のセキュリティ情報インタラクション装置が上記のカレント作業パラメータ集を確定した後、上記のセキュリティ情報インタラクション装置へコマンドを送ることを通じて、上記のカレント作業パラメータ集からデータ元（即ち、パラメータ）を取得し、上記のリソースの移行を完成させる。
【００９１】
好ましくは、本発明で開示された拡張パラメータ集に基づくセキュリティ情報インタラクション方法においては、上記のステップ(A2）がさらに以下のようなものを含む。即ち、上記のセキュリティ情報インタラクション装置から上記のパラメータのマッチが失敗したというコマンドを受け取った後、上記のセキュリティ情報インタラクション端末がセキュリティ情報インタラクションを終了する。
【００９２】
好ましくは、本発明で開示された拡張パラメータ集に基づくセキュリティ情報インタラクション方法においては、上記のセキュリティ情報インタラクション端末が上記のセキュリティ情報インタラクション装置へ検索コマンドを送るという方式で、上記のメインパラメータ集及び/又は上記の少なくとも１つの拡張パラメータ集における上記のリソースの属性と関わるデータ元（例えば、電子マネー残高）を取得する。
【００９３】
上記で本発明の好ましい実現方法を説明したにも関わらず、その実現方法が上記のものとは限らない。注意してほしいのは本発明の主旨に沿い、その範囲を超えない場合、本分野の技術者達は本発明に対して、異なる変更と修正を行うことができる。
【符号の説明】
【００９４】
１  セキュリティ情報インタラクション装置
２  セキュリティ情報インタラクション端末
３  通信インタフェース
４  メインコントローラ
５  メインパラメータ集保存モジュール
６  拡張パラメータ集保存モジュール
７  配置モジュール
【図１】
2015500537.tif 000003
【図２】
2015500537.tif 000004
【国際調査報告】
2015500537.tif 000005
2015500537.tif 000006
2015500537.tif 000007
2015500537.tif 000008